(57)【要約】【課題】画像形成装置に複数の用紙後処理装置を順に連結して設置するとき、用紙後処理装置の誤連結を防止する。【解決手段】複写機、ファクシミリ、プリンタ、またはそれらの複合機などの画像形成装置に、上流側に設ける画像形成装置または用紙後処理装置に取り付ける装置連結部材を用いて、インサータ装置、多機能折り装置、スタッカ装置、フィニッシャ装置、多機能パンチ装置、くるみ製本装置、中綴じ製本装置などの複数の用紙後処理装置を順に連結してなる画像形成システム装置において、用紙後処理装置を、その所定連結順位に応じて、基準ピン２３やねじ孔２２ａの位置などが異なる形状の装置連結部材２０を用いて連結してなる。【選択図】図３
2008281748.tif 000002
【特許請求の範囲】
【請求項１】
画像形成装置に、上流装置に取り付ける装置連結部材を用いて複数の用紙後処理装置を順に連結してなる画像形成システム装置において、
前記用紙後処理装置を、その所定連結順位に応じて、異なる形状の前記装置連結部材を用いて連結してなることを特徴とする画像形成システム装置。
【請求項２】
前記装置連結部材に上流装置にねじ止めするねじ孔を設け、そのねじ孔位置を前記用紙後処理装置の所定連結順位に応じて異ならしめてなることを特徴とする、請求項１に記載の画像形成システム装置。
【請求項３】
前記用紙後処理装置と、同一所定連結順位でそれと置き換え使用する別の用紙後処理装置とを、同一形状の前記装置連結部材を用いて連結可能としてなることを特徴とする、請求項１または２に記載の画像形成システム装置。
【請求項４】
連結順位を入れ替え可能な前記用紙後処理装置を、同一形状の前記装置連結部材を用いて連結可能としてなることを特徴とする、請求項１ないし３のいずれか１に記載の画像形成システム装置。
【請求項５】
前記上流装置に対する前記装置連結部材の取り付け位置を、用紙搬送方向と直交する方向に移動調整自在としてなることを特徴とする、請求項１ないし４のいずれか１に記載の画像形成システム装置。
【発明の詳細な説明】
【技術分野】
【０００１】
この発明は、複写機、ファクシミリ、プリンタ、またはそれらの複合機などの画像形成装置に、上流側に設ける画像形成装置または後処理装置に取り付ける装置連結部材を用いて、インサータ装置、多機能折り装置、スタッカ装置、フィニッシャ装置、多機能パンチ装置、くるみ製本装置、中綴じ製本装置などの複数の用紙後処理装置を順に連結してなる画像形成システム装置に関する。
【背景技術】
【０００２】
従来、画像形成装置等の上流装置に後処理装置等の下流装置を連結するときは、例えば特許文献１に記載されるような構成としていた。すなわち、下流装置に同梱する装置連結部材を、上流装置の排紙位置にねじ止め固定して後、下流装置の用紙受け入れ側でステーに取り付けた下流側連結部材に固定するなどして、上流装置に下流装置を連結していた。
【０００３】
画像形成装置に複数の用紙後処理装置を順に連結するときには、例えば特許文献２に記載されるように、同形状の装置連結部材を使用し、複数の用紙後処理装置を順に連結して連続して設置していた。
【０００４】
【特許文献１】特開２００２−１２８３１９号公報
【特許文献２】特開２００５−３７８２号公報
【発明の開示】
【発明が解決しようとする課題】
【０００５】
ところが、このような従来の画像形成システム装置では、画像形成装置に複数の用紙後処理装置を順に連結して設置するとき、連結順位を違えても、連結可能である問題があった。
【０００６】
そこで、この発明の第１の目的は、画像形成装置に複数の用紙後処理装置を順に連結して設置するとき、用紙後処理装置の誤連結を防止することにある。
【０００７】
この発明の第２の目的は、部品形状の簡単な設計変更で、用紙後処理装置の誤連結を有効に防止することにある。
【０００８】
この発明の第３の目的は、互いに置き換え使用する用紙後処理装置の連結順位を誤らないようにすることにある。
【０００９】
この発明の第４の目的は、連結順位を入れ替え可能な用紙後処理装置の連結順位の入れ替えを可能とすることにある。
【００１０】
この発明の第５の目的は、順に連結する用紙後処理装置の連結位置の微調整を可能とすることにある。
【課題を解決するための手段】
【００１１】
請求項１に記載の発明は、上述した第１の目的を達成すべく、
複写機、ファクシミリ、プリンタ、またはそれらの複合機などの画像形成装置に、用紙搬送方向上流側に設ける画像形成装置または用紙後処理装置に取り付ける装置連結部材を用いて、インサータ装置、多機能折り装置、スタッカ装置、フィニッシャ装置、多機能パンチ装置、くるみ製本装置、中綴じ製本装置などの複数の用紙後処理装置を順に連結してなる画像形成システム装置において、
前記用紙後処理装置を、その所定連結順位に応じて、すなわち第何番目に連結するかによって、例えば基準ピンの位置を異ならしめたり、装置連結部材の取付ねじのねじ孔位置を異ならしめたりした異なる形状の前記装置連結部材を用いて連結してなることを特徴とする。
【００１２】
請求項２に記載の発明は、上述した第２の目的を達成すべく、請求項１に記載の画像形成システム装置において、前記装置連結部材に上流装置である画像形成装置や用紙後処理装置にねじ止めするねじ孔を設け、そのねじ孔位置を前記用紙後処理装置の所定連結順位に応じて異ならしめてなることを特徴とする。装置連結部材を取り付ける上流装置には、当然に、装置連結部材のねじ孔に対応してねじ孔を設ける。
【００１３】
請求項３に記載の発明は、上述した第３の目的を達成すべく、請求項１または２に記載の画像形成システム装置において、前記用紙後処理装置と、同一所定連結順位でそれと置き換え使用する別の用紙後処理装置とを、同一形状の前記装置連結部材を用いて連結可能としてなることを特徴とする。
【００１４】
請求項４に記載の発明は、上述した第４の目的を達成すべく、請求項１ないし３のいずれか１に記載の画像形成システム装置において、連結順位を入れ替え可能な前記用紙後処理装置を、同一形状の前記装置連結部材を用いて連結可能としてなることを特徴とする。
【００１５】
請求項５に記載の発明は、上述した第５の目的を達成すべく、請求項１ないし４のいずれか１に記載の画像形成システム装置において、前記上流装置に対する前記装置連結部材の取り付け位置を、用紙搬送方向と直交する方向に移動調整自在としてなることを特徴とする。
【発明の効果】
【００１６】
請求項１に記載の画像形成システム装置によれば、用紙後処理装置を、その所定連結順位に応じて、異なる形状の装置連結部材を用いて連結してなるので、画像形成装置に複数の用紙後処理装置を順に連結して設置するとき、連結順位を間違えると、装置連結部材を用いてうまく連結することができなくなり、用紙後処理装置の誤連結を防止することができる。
【００１７】
請求項２に記載の画像形成システム装置によれば、装置連結部材に上流装置にねじ止めするねじ孔を設け、そのねじ孔位置を用紙後処理装置の所定連結順位に応じて異ならしめてなるので、画像形成装置に複数の用紙後処理装置を順に連結して設置するとき、連結順位を間違えると、上流装置のねじ孔と装置連結部材のねじ孔とが合わなくなり、部品形状の簡単な設計変更で、装置連結部材を用いてうまく連結できないようにして、用紙後処理装置の誤連結を有効に防止することができる。
【００１８】
請求項３に記載の画像形成システム装置によれば、用紙後処理装置と、同一所定連結順位でそれと置き換え使用する別の用紙後処理装置とを、同一形状の装置連結部材を用いて連結可能としてなるので、排他的に互いに置き換え使用する用紙後処理装置を同じ連結順位に配置してその連結順位を誤らないようにすることができる。
【００１９】
請求項４に記載の画像形成システム装置によれば、連結順位を入れ替え可能な用紙後処理装置を、同一形状の装置連結部材を用いて連結可能としてなるので、例えば同種類の用紙後処理装置のように、連結順位を入れ替え可能な用紙後処理装置を連続して連結するとき、その連結順位の入れ替えを可能として高生産性や高積載対応を可能とすることができる。
【００２０】
請求項５に記載の画像形成システム装置によれば、上流装置に対する装置連結部材の取り付け位置を、用紙搬送方向と直交する方向に移動調整自在としてなるので、順に連結する用紙後処理装置がそれぞれ狙い通りの連結位置にない場合に、狙い通りの連結位置となるように微調整可能とし、用紙ジャムの発生や用紙へのダメージの発生をなくすことができる。
【発明を実施するための最良の形態】
【００２１】
以下、図面を参照しつつ、この発明の実施の最良形態につき説明する。
図１には、この発明による画像形成システム装置の一例のシステム構成を示す。
【００２２】
図中符号１０は、複写機、ファクシミリ、プリンタ、またはそれらの複合機などの画像形成装置である。画像形成装置１０には、４つの用紙後処理装置を順に連結してなる。図示例では、４つの用紙後処理装置を順に連結するが、もちろん4つに限らず、３つや５つ以上の用紙後処理装置を順に連結するようにしてもよい。
【００２３】
まず、画像形成装置１０の直ぐ下流には、中綴じや端綴じの用紙束の表紙、合紙などを挿入するインサータ装置１１を連結する。次いで、インサータ装置１１の直ぐ下流には、用紙をＺ折りしたり三つ折りしたりする多機能折り装置１２を連結する。それから、多機能折り装置１２の直ぐ下流には、用紙を連続してスタックするスタッカ装置１３を連結する。最後に、スタッカ装置１３の直ぐ下流には、端綴じ、シフトスタックなどを行うフィニッシャ装置１４を連結する。この他にも、用紙後処理装置として、例えば多機能パンチ装置、くるみ製本装置、中綴じ製本装置などを連結することができる。
【００２４】
図２には、画像形成装置１０の左側面を示す。
図示するように、画像形成装置１０の左側面には、画像形成済みの用紙を排出する横に細長な排紙口１５をあけ、そのまわりには、手前側に２つのねじ孔１６ａ、１６ｂを設け、また奥側に２つのねじ孔１６ｃ、１６ｄを設ける。符号１７は、底面に取り付けて複数設けるキャスタである。
【００２５】
図３には、インサータ装置１１に同梱する、すなわち一緒に梱包する製品連結部材である。
製品連結部材２０は、板金材を、画像形成装置１０の排紙口１５を囲む大きさの門形状とし、両側の内側縁から直角に曲げ起こして折り曲げ片２１ａ、２１ｂを設ける。そして、それぞれ画像形成装置１０のねじ孔１６ａ、１６ｂ、１６ｃ、１６ｄに対応するようにねじ孔２２ａ、２２ｂ、２２ｃ、２２ｄをあけ、ねじ孔２２ｃの近くには基準ピン２３を立て、また折り曲げ片２１ａ、２１ｂには下向きに開口する一定幅の切欠き２４ａ、２４ｂを設けてなる。
【００２６】
図４には、図３に示す製品連結部材２０を、図２に示す画像形成装置１０の左側面に取り付けた状態を示す。
図示するように、画像形成装置１０の左側面から折り曲げ片２１ａ、２１ｂおよび基準ピン２３が突出する向きとしてその左側面に製品連結部材２０をあてがい、ねじ孔１６ａ、１６ｂ、１６ｃ、１６ｄにねじ孔２２ａ、２２ｂ、２２ｃ、２２ｄを合わせ、ねじ孔２２ａ、２２ｂ、２２ｃ、２２ｄにそれぞれ取付ねじ２５ａ、２５ｂ、２５ｃ、２５ｄを挿入してねじ孔１６ａ、１６ｂ、１６ｃ、１６ｄにねじ込み、製品連結部材２０を画像形成装置１０の左側面に取り付ける。
【００２７】
図５には、インサータ装置１１の用紙受け入れ側の構成を示す。
図５において、符号３０は前側板、３１は後側板である。前側板３０には、切欠き２４ａとほぼ等しい幅の嵌合孔３２ａをあける。他方、後側板３１には、切欠き２４ｂとほぼ等しい幅の嵌合孔３２ｂをあけ、また基準ピン２３が緩みなくはまり込む幅の基準長孔３３をあける。そのような前側板３０と後側板３１間には、ステー３４を組み付けてなる。
【００２８】
ステー３４には、下流側連結部材３５を重ね合わせる。下流側連結部材３５には、手前側と後側に、傾斜するガイド孔３６ａ、３６ｂをあけ、それらのガイド孔３６ａ、３６ｂを通して段付ねじ３７ａ、３７ｂをステー３４にねじ付ける。下流側連結部材３５は、手前側と後側に、手前から後に向けてガイドピン３８ａ、３８ｂを支持してなる。ガイドピン３８ａ、３８ｂは、切欠き２４ａ、２４ｂおよび嵌合孔３２ａ、３２ｂに緩みなくはまり込む径とする。
【００２９】
図６には、インサート装置１１に製品連結部材２０を連結した状態を示す。
図示するように、製品連結部材２０の折り曲げ片２１ａ、２１ｂを前側板３０と後側板３１間に入れ、切欠き２４ａ、２４ｂを嵌合孔３２ａ、３２ｂに合わせ、下流側連結部材３５を手前から後に向けて押してガイド孔３６ａ、３６ｂと段付ねじ３７ａ、３７ｂとの係合により平行移動しながら上昇し、ガイドピン３８ａ、３８ｂをそれぞれ切欠き２４ａ、２４ｂを通して嵌合孔３２ａ、３２ｂにはめ込み、画像形成装置１０に取り付ける装置連結部材２０を用いて画像形成装置１０にインサータ装置１１を連結する。
【００３０】
図７には、画像形成装置１０にインサータ装置１１を連結したときの互いの前後方向の位置決めを示す。
図示するように、画像形成装置１０にインサータ装置１１を連結したとき、製品連結部材２０の基準ピン２３がインサータ装置１１の後側板３１にあけた基準長孔３３にはまり込み、画像形成装置１０に対してインサータ装置１１の前後位置が正確に位置決めされるようになっている。
【００３１】
さて、図２〜７では、画像形成装置１０にインサータ装置１１を連結する場合について説明したが、インサータ装置１１に多機能折り装置１２を連結するときも、多機能折り装置１２にスタッカ装置１３を連結するときも、またスタッカ装置１３にフィニッシャ装置１４を連結するときも、同様に上流装置に取り付ける装置連結部材２０を用いて下流側の用紙後処理装置を順に連結してなる。
【００３２】
ただし、図示例の画像形成システム装置では、用紙後処理装置を、その所定連結順位に応じて、第何番目に連結するかによって、基準ピン２３の位置が異なる装置連結部材２０を用いて連結してなる。当然、基準ピン２３の位置に合わせて、それぞれの基準ピン２３がはまり込むことができるように下流装置の基準長孔３３の位置も違えてなる。よって、上流装置である画像形成装置１０または用紙後処理装置に製品連結部材２０を一度ねじ止め固定すると、上流装置と下流装置の連結を切り離しても、同じ所定連結順位でしか再連結できないようになっている。
【００３３】
図８〜１２には、この発明による画像形成システム装置の他例を示す。図８には、最上流装置である画像形成装置１０の左側面を示す。
図示するように、画像形成装置１０の左側面には、画像形成済みの用紙を排出する横に細長な排紙口１５をあけ、そのまわりには、手前側に上下に並べて４つのねじ孔１６ａ、１６ｅ、１６ｆ、１６ｇと、少し離して１つのねじ孔１６ｂを設け、また奥側に２つのねじ孔１６ｃ、１６ｄを設ける。符号１７は、同様にキャスタである。
【００３４】
図９には、インサータ装置１１の製品連結部材２０と画像形成装置１０の互いのねじ孔の位置関係を示す。
インサータ装置１１の製品連結部材２０の手前側には、図示するごとく、画像形成装置１０の手前側のねじ孔１６ａ、１６ｂに対応してねじ孔２２ａ、２２ｂを設ける。
【００３５】
図１０には、多機能折り装置１２の製品連結部材２０Ａとインサータ装置１１の互いのねじ孔の位置関係を示す。
図示するように、インサータ装置１１の左側面手前側には、上下に並べて４つのねじ孔４０ａ、４０ｅ、４０ｆ、４０ｇと、少し離して１つのねじ孔４０ｂを設けてなる。他方、多機能折り装置１２の製品連結部材２０Ａの手前側には、図示するごとく、インサータ装置１１の手前側のねじ孔４０ｅ、４０ｂに対応してねじ孔４１ａ、４１ｂを設ける。
【００３６】
図１１には、スタッカ装置１３の製品連結部材２０Ｂと多機能折り装置１２の互いのねじ孔の位置関係を示す。
図示するように、多機能折り装置１２の左側面手前側には、上下に並べて３つのねじ孔４２ｅ、４２ｆ、４２ｇと、少し離して１つのねじ孔４２ｂを設けてなる。他方、スタッカ装置１３の製品連結部材２０Ｂの手前側には、図示するごとく、多機能折り装置１２の手前側のねじ孔４２ｆ、４２ｂに対応してねじ孔４３ａ、４３ｂを設ける。多機能折り装置１２の左側面手前側には、インサータ装置１１の製品連結部材２０のねじ孔２２ａに合致するねじ孔を有しないから、多機能折り装置１２の下流にインサータ装置１１を連結することはできない構成となっている。
【００３７】
図１２には、フィニッシャ装置１４の製品連結部材２０Ｃとスタッカ装置１３の互いのねじ孔の位置関係を示す。
図示するように、スタッカ装置１３の左側面手前側には、上下に並べて２つのねじ孔４４ｆ、４４ｇと、少し離して１つのねじ孔４４ｂを設けてなる。他方、フィニッシャ装置１４の製品連結部材２０Ｃの手前側には、図示するごとく、フィニッシャ装置１４の手前側のねじ孔４４ｇ、４４ｂに対応してねじ孔４５ａ、４５ｂを設ける。スタッカ装置１３の左側面手前側には、インサータ装置１１の製品連結部材２０のねじ孔２２ａや多機能折装置１２の製品連結部材２０Ａのねじ孔４１ａに合致するねじ孔を有しないから、スタッカ装置１３の下流にインサータ装置１１や多機能折り装置１２を連結することはできない構成となっている。
【００３８】
以上のとおり、図８〜１２に示す例では、第何番目に連結するかによって、装置連結部材の取付ねじのねじ孔の位置を異ならしめた、異なる形状の装置連結部材２０、２０Ａ、２０Ｂ、２０Ｃを用いて、用紙後処理装置を順に連結する。これにより、上流装置である画像形成装置１０または用紙後処理装置に製品連結部材２０を一度ねじ止め固定すると、上流装置と下流装置の連結を切り離しても、同じ所定連結順位でしか再連結できないようになっている。
【００３９】
図１３には、図１に示す画像形成システム装置のスタッカ装置１３に代えて、そのスタッカ装置１３と排他的に使用可能なくるみ製本装置５０を使用した画像形成システム装置を示す。
このとき、スタッカ装置１３と、同一所定連結順位でそれと置き換え使用するくるみ製本装置５０とは、同一形状の装置連結部材２０Ｂを用いて連結するようにする。このようにすると、排他的に互いに置き換え使用するスタッカ装置１３とくるみ製本装置５０を同じ連結順位に配置してその連結順位を誤らないようにすることができる。
【００４０】
図１４には、図１に示す画像形成システム装置のスタッカ装置１３を連続して連結する画像形成システム装置を示す。
この画像形成システム装置によっては、装置連結部材として同じ形状の装置連結部材２０Ｂを使用して２つのスタッカ装置１３を連続して設置する。そして、第１番目、第２番目、第３番目か第４番目、第５番目に連結するかによって、異なる形状の装置連結部材２０、２０Ａ、２０Ｂ、２０Ｃを用い、用紙後処理装置を順に連結する。
【００４１】
図８〜１２に示すような構成とすると、スタッカ装置１３が具備する製品連結部材２０Ｂは、スタッカ装置１３の排紙口側のねじ孔位置に対応しており、スタック装置１３を連続して連結することが可能である。このように、連結順位を入れ替え可能な用紙後処理装置は、同一形状の装置連結部材を用いて連結すると、例えばスタッカ装置１３のような同種類の用紙後処理装置のように、連結順位を入れ替え可能な用紙後処理装置を連続して連結するとき、その連結順位の入れ替えを可能として高生産性や高積載対応を可能とすることができる。
【００４２】
図１５には、製品連結部材２０の別例を示す。
この図１５に示す例では、製品連結部材２０にあけるねじ孔１６ａ、１６ｂ、１６ｃ、１６ｄを前後方向に長い長孔とする。このようにすると、上流装置に対する装置連結部材２０の取り付け位置を、用紙搬送方向と直交する方向に移動調整自在として、順に連結する用紙後処理装置がそれぞれ狙い通りの連結位置にない場合に、狙い通りの連結位置となるように微調整可能とし、用紙ジャムの発生や用紙へのダメージの発生をなくすことができる。
【図面の簡単な説明】
【００４３】
【図１】この発明による画像形成システム装置の一例のシステム構成図である。
【図２】図１に示す画像形成システム装置の画像形成装置の左側面図である。
【図３】同画像形成システム装置のインサータ装置に同梱する製品連結部材の斜視図である。
【図４】図３に示す製品連結部材の、図２に示す画像形成装置の左側面に対する取付状態図である。
【図５】インサータ装置の用紙受け入れ側の構成を示す斜視図である。
【図６】インサート装置に製品連結部材を連結した状態を示す斜視図である。
【図７】画像形成装置にインサータ装置を連結したときの互いの前後方向の位置決めを示す斜視図である。
【図８】この発明による画像形成システム装置の他例を示すもので、最上流装置である画像形成装置の左側面図である。
【図９】その画像形成システム装置のインサータ装置の製品連結部材と画像形成装置の互いのねじ孔の位置関係図である。
【図１０】同画像形成システム装置の多機能折り装置の製品連結部材とインサータ装置の互いのねじ孔の位置関係図である。
【図１１】同画像形成システム装置のスタッカ装置の製品連結部材と多機能折り装置の互いのねじ孔の位置関係図である。
【図１２】同画像形成システム装置のフィニッシャ装置の製品連結部材とスタッカ装置の互いのねじ孔の位置関係図である。
【図１３】図１に示す画像形成システム装置のスタッカ装置に代えて、そのスタッカ装置と排他的に使用可能なくるみ製本装置を使用した画像形成システム装置のシステム構成図である。
【図１４】図１に示す画像形成システム装置のスタッカ装置を連続して連結する画像形成システム装置のシステム構成図である。
【図１５】この発明による画像形成システム装置で使用する製品連結部材の別例を示す図である。
【符号の説明】
【００４４】
１０    画像形成装置
１１    インサータ装置（用紙後処理装置）
１２    多機能折り装置（用紙後処理装置）
１３    スタッカ装置（用紙後処理装置）
１４    フィニッシャ装置（用紙後処理装置）
１５    排紙口
１６ａ、１６ｂ、１６ｃ、１６ｄ、１６ｅ、１６ｆ、１６ｇ    ねじ孔
２０、２０Ａ、２０Ｂ、２０Ｃ    製品連結部材
２１ａ、２１ｂ    折り曲げ片
２２ａ、２２ｂ、２２ｃ、２２ｄ    ねじ孔
２３    基準ピン
２４ａ、２４ｂ    切欠き
２５ａ、２５ｂ、２５ｃ、２５ｄ    取付ねじ
３２ａ、３２ｂ    嵌合孔
３３    基準長孔
４０ａ、４０ｂ、４０ｅ、４０ｆ、４０ｇ    ねじ孔
４１ａ、４１ｂ    ねじ孔
４２ｂ、４２ｅ、４２ｆ、４２ｇ    ねじ孔
４３ａ、４３ｂ    ねじ孔
４４ｂ、４４ｆ、４４ｇ    ねじ孔
４５ａ、４５ｂ    ねじ孔
５０    くるみ製本装置（用紙後処理装置）
【図１】
2008281748.tif 000003
【図２】
2008281748.tif 000004
【図３】
2008281748.tif 000005
【図４】
2008281748.tif 000006
【図５】
2008281748.tif 000007
【図６】
2008281748.tif 000008
【図７】
2008281748.tif 000009
【図８】
2008281748.tif 000010
【図９】
2008281748.tif 000011
【図１０】
2008281748.tif 000012
【図１１】
2008281748.tif 000013
【図１２】
2008281748.tif 000014
【図１３】
2008281748.tif 000015
【図１４】
2008281748.tif 000016
【図１５】
2008281748.tif 000017